(57)【特許請求の範囲】
【請求項１】
互いに接続されたテレビおよびプレーヤを備える映像音声システムであって、
前記テレビは、
映像および音声の少なくとも一方を出力する出力部と、
機器情報を格納する記憶部と、
前記プレーヤから信号を受信する受信部と、
前記信号に応じて前記テレビの動作を制御するマイコンとを含み、
前記機器情報は、前記出力部の規格と、前記規格で定められた前記出力部の出力特性とを対応付けた規格情報と、前記規格で定められていない前記出力部の固有情報と、前記マイコンの演算速度を示す演算速度情報とを含み、
前記プレーヤは、
前記テレビから前記機器情報を取得する取得部と、
前記機器情報に基づいて、画質および音質の少なくとも一方が向上するように変換された映像音声信号を前記テレビに送信する送信部とを含み、
前記送信部は、前記テレビにコンテンツの暗号化のための鍵を作成する命令を送信し、当該命令を送信してから前記演算速度情報に応じた時間の経過後、前記マイコンにより計算された前記鍵を読み出すための命令を前記テレビに送信し、
前記送信部は、前記読み出すための命令により読み出された前記鍵を前記テレビから受信し、受信する前記鍵を用いて前記映像音声信号を暗号化した後に送信する、映像音声システム。
【請求項２】
前記プレーヤは、前記機器情報を予め登録したデータベースを格納するデータベース記憶部をさらに備え、
前記取得部は、前記規格情報を取得し、取得された前記規格情報が前記データベースに含まれる場合、前記機器情報の取得を中止し、
前記送信部は、取得された前記規格情報が前記データベースに含まれる場合、前記データベースから、取得された前記規格情報に対応する前記機器情報を読出し、読み出された前記機器情報に基づいて、前記出力特性に応じた前記映像音声信号を前記テレビに送信する、請求項１に記載の映像音声システム。
【請求項３】
前記規格情報は、ＥＤＩＤである、請求項１または２に記載の映像音声システム。
【発明の詳細な説明】
【技術分野】
【０００１】
本発明は、映像や音声を出力する映像音声システム、ならびに、映像音声システムに含まれるテレビおよびプレーヤに関する。
【背景技術】
【０００２】
テレビなどの出力装置は、ＤＶＤ（ｄｉｇｉｔａｌ  ｖｅｒｓａｔｉｌｅ  ｄｉｓｃ）プレーヤなどの再生装置と組み合わされて用いられることが多い。このような出力装置と再生装置とが組み合わされたシステムの利便性を向上させるための技術は、これまでにいくつか提案されている。
【０００３】
特許文献１（特開２００６−２０３７２５号公報）には、通常のプログラムではＨＤＭＩ（ｈｉｇｈ  ｄｅｆｉｎｉｔｉｏｎ  ｍｕｌｔｉｍｅｄｉａ  ｉｎｔｅｒｆａｃｅ）認証できない受像機の情報を予め記憶しておき、接続先の受像機から読み込んだＥＤＩＤ（ｅｘｔｅｎｄｅｄ  ｄｉｓｐｌａｙ  ｉｄｅｎｔｉｆｉｃａｔｉｏｎ  ｄｅｔａ）データが予め記憶されている情報に一致する場合にプログラムを切り替えることでＨＤＭＩ認証を成功させる映像信号出力装置が開示されている。
【０００４】
特許文献２（特開２００７−１７９７０７号公報）には、記録媒体から再生したコンテンツに映像情報および音声情報がそれぞれ含まれるかどうかの判別およびコンテンツのフォーマットの判別を行ない、その判別結果に従って、受像機およびアンプにそれらの動作を制御するための信号を送信する再生装置を含む映像音声再生システムが開示されている。
【０００５】
特許文献３（特開２００６−１９８０９号公報）には、ＨＤＭＩ規格に準拠したデジタル映像信号の処理を行なうＨＤＭＩ信号処理部と、アナログ映像信号を処理する周波数判別器と、デジタル信号の受信が選択されている場合に、周波数判別器の動作を省略し、信号の属性情報に基づいて映像信号処理の内容を決定する制御手段とを備える映像信号受信装置が開示されている。
【特許文献１】特開２００６−２０３７２５号公報
【特許文献２】特開２００７−１７９７０７号公報
【特許文献３】特開２００６−１９８０９号公報
【発明の開示】
【発明が解決しようとする課題】
【０００６】
特許文献２に記載の発明は、出力対象となる映像音声情報の種類に応じて、出力装置による映像音声情報の出力方法を変更するものである。また、特許文献３に記載の発明は、映像信号の種類に応じて、再生装置における映像信号の処理方法を変更するものである。
【０００７】
ところが、一般に、映像音声システムに含まれる機器の特性（例えば、ディスプレイの画素数、スピーカの音響特性など）は、機器によって異なる。特許文献１や特許文献３に記載の発明では、このような機器の特性を考慮していなかった。よって、特許文献１や特許文献３に記載の発明は、映像音声情報の出力にあたり適切に動作しない。
【０００８】
機器の特性を表わす情報の１つに、ディスプレイの特性を表わすＥＤＩＤがある。特許文献１に記載の映像信号出力装置は、ＨＤＭＩ認証の失敗を防ぐことを目的として、接続先の受像機のＥＤＩＤデータを利用している。しかしながら、特許文献１に記載の発明も、やはり、映像音声情報の適切な出力を実現するものではない。
【０００９】
本発明は、上記のような問題を解決するためになされたものであって、機器の特性に応じて適切に動作する映像音声システム、テレビおよびプレーヤを提供することを課題とする。
【課題を解決するための手段】
【００１０】
１つの局面に係る本願発明は、互いに接続されたテレビおよびプレーヤを備える映像音声システムであって、テレビは、テレビの設定を表わす機器情報を格納する記憶部と、プレーヤから信号を受信する受信部と、信号に応じてテレビの動作を制御する制御部とを含み、プレーヤは、テレビから機器情報を取得する取得部と、機器情報に基づいて、テレビの設定に応じた信号をテレビに送信する送信部とを含む。
【００１１】
好ましくは、テレビは、映像および音声の少なくとも一方を出力する出力部をさらに含み、機器情報は、出力部の出力特性を含み、送信部は、出力特性に基づいて、画質および音質の少なくとも一方が向上するように変換された映像音声信号をテレビに送信する。
【００１２】
さらに好ましくは、機器情報は、出力部の規格と、規格で定められた出力部の出力特性とを対応付けた規格情報を含み、取得部は、テレビから規格情報を取得し、送信部は、規格情報に基づいて、映像音声信号を送信する。
【００１３】
さらに好ましくは、機器情報は、規格で定められていない出力部の固有情報をさらに含み、取得部は、テレビから規格情報および固有情報を取得し、送信部は、規格情報および固有情報に基づいて、映像音声信号を送信する。
【００１４】
さらに好ましくは、プレーヤは、機器情報を予め登録したデータベースを格納するデータベース記憶部をさらに備え、取得部は、規格情報を取得し、取得された規格情報がデータベースに含まれる場合、機器情報の取得を中止し、送信部は、取得された規格情報がデータベースに含まれる場合、データベースから、取得された規格情報に対応する機器情報を読出し、読み出された機器情報に基づいて、出力特性に応じた信号をテレビに送信する。
【００１５】
さらに好ましくは、規格情報は、ＥＤＩＤである。
好ましくは、機器情報は、制御部の演算速度情報を含み、送信部は、テレビにコンテンツの暗号化のための鍵を作成する命令をさらに送信し、演算速度情報に応じた時間の経過後、テレビから鍵を読み出すための命令をテレビに送信する。
【００１６】
他の局面に係る本願発明は、プレーヤと接続可能なテレビであって、テレビの設定を表わす機器情報を格納する記憶部を備え、機器情報は、プレーヤにより取得可能であり、プレーヤから、機器情報に基づいた、テレビの設定に応じた信号を受信する受信部と、信号に応じてテレビの動作を制御する制御部とを備える。
【００１７】
さらに他の局面に係る本願発明は、テレビと接続可能なプレーヤであって、テレビから機器情報を取得する取得部と、機器情報に基づいて、テレビの設定に応じた信号をテレビに送信する送信部とを備える。
【００１８】
さらに他の局面に係る本願発明は、互いに接続されたテレビおよびプレーヤを備える映像音声システムであって、プレーヤは、プレーヤの設定を表わす機器情報を格納する記憶部と、テレビから信号を受信する受信部と、信号に応じてプレーヤの動作を制御する制御部とを含み、テレビは、プレーヤから機器情報を取得する取得部と、機器情報に基づいて、プレーヤの設定に応じた信号をプレーヤに送信する送信部とを含む。
【００１９】
さらに他の局面に係る本願発明は、テレビと接続可能なプレーヤであって、プレーヤの設定を表わす機器情報を格納する記憶部を備え、機器情報は、テレビにより取得可能であり、テレビから、機器情報に基づいた、プレーヤの設定に応じた信号を受信する受信部と、信号に応じてプレーヤの動作を制御する制御部とを備える。
【００２０】
さらに他の局面に係る本願発明は、プレーヤと接続可能なテレビであって、プレーヤから機器情報を取得する取得部と、機器情報に基づいて、プレーヤの設定に応じた信号をプレーヤに送信する送信部とを備える。
【発明の効果】
【００２１】
本発明によれば、接続先の機器の機器情報を取得し、機器情報に基づいて、接続先の機器の特性に応じた信号を接続先の機器に送信する。その結果、機器の特性に応じて適切に動作する映像音声システム、テレビおよびプレーヤを提供することができる。
【発明を実施するための最良の形態】
【００２２】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２３】
［１．システム構成］
（システム全体の構成）
本実施の形態に係る映像音声システム１の構成について、図１を参照して説明する。図１は、本実施の形態に係る映像音声システム１の模式図である。
【００２４】
映像音声システム１は、ＤＶＤプレーヤ１００と、テレビ２００とを備える。ＤＶＤプレーヤ１００とテレビ２００とは、ＨＤＭＩケーブル１０で接続されている。
【００２５】
（ＤＶＤプレーヤの構成）
ＤＶＤプレーヤ１００のハードウェア構成を図２を参照して説明する。図２は、ＤＶＤプレーヤ１００のハードウェア構成を示すブロック図である。
【００２６】
図２を参照して、ＤＶＤプレーヤ１００は、マイコン１１０と、ＲＡＭ（ｒａｎｄｏｍ−ａｃｃｅｓｓ  ｍｅｍｏｒｙ）１２０と、ハードディスク１２５と、ＲＯＭ（ｒｅａｄ−ｏｎｌｙ  ｍｅｍｏｒｙ）１３０と、トランスミッタ１４０と、ＣＥＣ（Ｃｏｎｓｕｍｅｒ  Ｅｌｅｃｔｒｏｎｉｃｓ  Ｃｏｎｔｒｏｌ）回路１５０と、ＤＤＣ（Ｄｉｓｐｌａｙ  Ｄａｔａ  Ｃｈａｎｎｅｌ）回路１６０と、ＨＤＭＩ端子１７０と、ＤＶＤドライブ１８０と、リモコン受光部１９０とを含む。なお、ＤＶＤプレーヤ１００の一部の構成は、図１にも示している。
【００２７】
マイコン１１０は、リモコン受光部１９０からの信号などに応じて、ＤＶＤプレーヤ１００の各部の動作を制御する。
【００２８】
ＲＡＭ１２０は、マイコン１１０の処理にともない、一時的にデータを記憶する。ハードディスク１２５は、画像データや音声データを保存する。ＲＯＭ１３０は、マイコン１１０の動作に必要なファームウェアや、ＤＶＤプレーヤ１００自身を特定するための情報などを格納する。
【００２９】
トランスミッタ１４０は、マイコン１１０からの信号に従って、画像データや音声データを信号に変換し、ＨＤＭＩ端子１７０に送出する。ＣＥＣ回路１５０は、ＣＥＣ信号の送受信を行なう。ここで、ＣＥＣ信号とは、ＣＥＣ規格に準拠した相互制御信号のことをいう。ＤＤＣ回路１６０は、マイコン１１０からの信号に従って、ＨＤＭＩ端子１７０を介してテレビ２００から、ＥＤＩＤを取得する。
【００３０】
ＨＤＭＩ端子１７０には、ＨＤＭＩケーブル１０が接続可能である。ＤＶＤプレーヤ１００は、ＨＤＭＩ端子１７０の接続先の機器（ここでは、テレビ２００）との信号あるいはデータの送受信を、ＨＤＭＩケーブル１０を介して行なう。
【００３１】
ＤＶＤドライブ１８０は、マイコン１１０からの信号に基づいて、ＤＶＤ１８２に格納された情報を読み取る。
【００３２】
リモコン受光部１９０は、ユーザによる入力に応じてリモコン１９２が発信する電波を受信する。そして、受信した電波に応じた信号をマイコン１１０に送る。
【００３３】
図３は、ＤＶＤプレーヤ１００の機能的構成を示すブロック図である。以下、図３を参照して、ＤＶＤプレーヤ１００の機能的構成について説明する。
【００３４】
ＤＶＤプレーヤ１００は、制御部３１０と、読取部３２０と、入力部３３０と、記憶部３４０と、通信部３５０とを備える。
【００３５】
入力部３３０は、外部からの指示を受け付ける。読取部３２０は、外部の記憶媒体に格納された情報を読み取る。
【００３６】
通信部３５０は、他の機器との通信を行なう。通信部３５０は、取得部３５２と、送信部３５４とを含む。取得部３５２は、テレビ２００からＥＤＩＤを取得する。送信部３５４は、テレビ２００に、画像信号あるいは映像信号を送信する。
【００３７】
記憶部３４０は、テレビ２００から取得したテレビ２００の機器情報であるテレビ情報３４１や、１つのまたは複数の機器の機器情報を予め登録した機器データベース（ＤＢ）３４６、ＤＶＤプレーヤ１００の各種設定を表わすプレーヤ設定３４８などを格納する。
【００３８】
ここで、機器情報とは、機器の特性を表わす情報のことを指す。テレビ情報３４１は、取得部３５２が取得したＥＤＩＤ３４２や、テレビ２００の固有データ３４４を含む。ここで、固有データ３４４とは、各機器に固有の特性を表わすデータのことをいう。機器情報の具体的な中身であるＥＤＩＤ３４２および固有データ３４４の詳細については、後述する。
【００３９】
プレーヤ設定３４８は、ＤＶＤプレーヤ１００自身の設定を表わすもので、上述のＥＤＩＤや固有データに類したデータを含む。
【００４０】
制御部３１０は、入力部３３０の受け付けた指示等に基づいて、読取部３２０、記憶部３４０、通信部３５０を制御する。
【００４１】
（テレビの構成）
テレビ２００のハードウェア構成を図４を参照して説明する。図４は、テレビ２００のハードウェア構成を示すブロック図である。
【００４２】
図４を参照して、テレビ２００は、マイコン２１０と、ＲＡＭ２２０と、ＲＯＭ２３０と、レシーバ２４０と、ＣＥＣ回路２５０と、ＤＤＣ回路２６０と、ＨＤＭＩ端子２７０と、ＰＲＯＭ（ｐｒｏｇｒａｍｍａｂｌｅ  ｒｅａｄ−ｏｎｌｙ  ｍｅｍｏｒｙ）２８０と、リモコン受光部２９０と、ディスプレイ２０と、ＬＶＤＳ（Ｌｏｗ  ｖｏｌｔａｇｅ  ｄｉｆｆｅｒｅｎｔｉａｌ  ｓｉｇｎａｌｉｎｇ）トランスミッタ２２と、スピーカ２４と、アンプ２６とを含む。なお、テレビ２００の一部の構成は、図１にも示している。
【００４３】
マイコン２１０は、リモコン受光部２９０からの信号などに応じて、テレビ２００の各部の動作を制御する。
【００４４】
ＲＡＭ２２０は、マイコン２１０の処理にともない、一時的にデータを記憶する。ＲＯＭ２３０は、マイコン２１０の動作に必要なファームウェアや、テレビ２００を特定するための情報などを格納する。ＰＲＯＭ２８０は、テレビ２００のＥＤＩＤを格納する。なお、ＰＲＯＭ２８０は、ＥＤＩＤを格納するための記憶媒体の一例であり、他の記憶媒体を用いる構成であっても構わない。
【００４５】
レシーバ２４０は、画像信号や音声信号を受信する。ＣＥＣ回路２５０は、ＣＥＣ信号の送受信を行なう。ＤＤＣ回路２６０は、ＤＶＤプレーヤ１００からのＥＤＩＤ取得のための信号を受信する。また、その信号に基づき、ＰＲＯＭ２８０からＥＤＩＤを取得する。
【００４６】
ＨＤＭＩ端子２７０には、ＨＤＭＩケーブル１０が接続可能である。テレビ２００は、ＨＤＭＩ端子２７０の接続先の機器（ここでは、ＤＶＤプレーヤ１００）と、ＨＤＭＩケーブル１０を介して、信号あるいはデータの送受信を行なう。
【００４７】
リモコン受光部２９０は、ユーザによる入力に応じてリモコン２９２が発信する電波を受信する。そして、受信した電波に応じた信号をマイコン２１０に送る。
【００４８】
ディスプレイ２０は、映像データに基づく画像を表示する。ＬＶＤＳトランスミッタ２２は、映像信号をディスプレイ２０に伝送する。
【００４９】
スピーカ２４は音声を出力する。アンプ２６は、音声信号を増幅し、スピーカ２４に出力する。
【００５０】
図５は、テレビ２００の機能的構成を示すブロック図である。以下、図５を参照して、テレビ２００の機能的構成について説明する。
【００５１】
テレビ２００は、制御部４１０と、出力部４２０と、出力制御部４２２と、入力部４３０と、記憶部４４０と、通信部４５０と、ＥＤＩＤ格納部４６０とを備える。
【００５２】
入力部４３０は、外部からの指示を受け付ける。通信部４５０は、他の機器との通信を行なう。通信部４５０は、ＥＤＩＤ読出部４５２と、受信部４５４とを含む。ＥＤＩＤ読出部４５２は、ＥＤＩＤを読出し、ＤＶＤプレーヤ１００に送信する。受信部４５４は、ＤＶＤプレーヤ１００から、画像信号あるいは映像信号を受信する。
【００５３】
記憶部４４０は、テレビ２００の固有データ４４２を格納する。固有データ４４２は、製品の出荷時等に登録されるものとする。
【００５４】
出力部４２０は、音声を出力する音声出力部４２０ａと、映像を出力する映像出力部４２０ｂとを含む。出力制御部４２２は、音声出力部４２０ａにより出力される音声を制御する音声出力制御部４２２ａと、映像出力部４２０ｂにより出力される映像を制御する映像出力制御部４２２ｂとを含む。
【００５５】
制御部４１０は、入力部４３０の受け付けた指示等に基づいて、出力部４２０、記憶部４４０、通信部４５０を制御する。
【００５６】
［２．データ構成］
図６を参照して、機器情報の具体例であるＥＤＩＤ３４２および固有データ３４４について説明しておく。図６は、ＥＤＩＤ３４２および固有データ３４４について説明するための図である。
【００５７】
ＥＤＩＤ３４２は、ディスプレイ２０の特性を記述したデータであり、ディスプレイ２０の特性を接続先の機器に伝えるために用いられる。ＥＤＩＤ３４２は、例えば、図６（ａ）に示すように、対応周波数、表示解像度、Ｖｅｎｄｏｒ  ＩＤ（製造メーカ名）、Ｐｒｏｄｕｃｔ  ＩＤ（型式）を含む。対応周波数は、水平、垂直方向の走査周波数および映像信号のクロック周波数を含む。表示解像度は、水平、垂直方向のドット構成のことである。
【００５８】
Ｖｅｎｄｏｒ  ＩＤやＰｒｏｄｕｃｔ  ＩＤ、あるいは、Ｖｅｎｄｏｒ  ＩＤとＰｒｏｄｕｃｔ  ＩＤとの組み合わせは、ディスプレイの規格を特定する情報として用いることができる。つまり、ＥＤＩＤ３４２は、ディスプレイの規格と、規格に応じて定まるディスプレイの特性とを対応付けた機器情報であるといえる。
【００５９】
固有データ３４４は、各機器に固有の特性を表わす情報である。例えば、図６（ｂ）に示すように、固有データ３４４は、ディスプレイ特性、スピーカ特性、ファームウェアのバージョン、マイコン２１０の演算速度を含む。
【００６０】
ディスプレイ特性は、表示が赤みがかる、暗めになるといった、各ディスプレイに固有の特性の情報である。一般に、同じ規格のディスプレイであっても、ディスプレイ特性は互いに異なる。
【００６１】
スピーカ特性は、各スピーカに固有の特性の情報である。スピーカ特性は、例えば、高音域が強調されるといった情報を含む。ディスプレイ特性と同様、同じ規格のスピーカであっても、スピーカ特性は互いに異なる。
【００６２】
本実施の形態では、ディスプレイ特性やスピーカ特性は、製品の出荷時にＲＯＭ２３０に格納されるものとする。ただし、テレビ２００が書き換え可能なメモリをもつ場合、このメモリにディスプレイ特性やスピーカ特性を格納し、ユーザがこれらを変更できるようにしてもよい。
【００６３】
［３．動作の流れ］
以下、本実施の形態に係る映像音声システム１の動作の流れについて、いくつかの例を挙げて説明する。
【００６４】
（第１の動作例）
図７は、第１の動作例に係る映像音声システム１の処理の流れを示すフローチャートである。以下、図７を参照して、第１の動作例における処理の流れについて説明する。
【００６５】
まず、ステップＳ１０１において、ＤＶＤプレーヤ１００のマイコン１１０は、テレビ２００からＥＤＩＤを取得する。また、取得したＥＤＩＤをＲＡＭ１２０に格納する。
【００６６】
より具体的には、マイコン１１０は、ＤＤＣ回路１６０に、ＥＤＩＤ取得のための信号を送る。信号を受けたＤＤＣ回路１６０は、ＤＶＤプレーヤ１００側のＨＤＭＩ端子１７０、ＨＤＭＩケーブル１０、テレビ２００側のＨＤＭＩ端子２７０、テレビ２００側のＤＤＣ回路２６０を介して、テレビ２００側のＰＲＯＭ２８０に格納されているＥＤＩＤを取得する。
【００６７】
なお、ステップＳ１０１の処理は、例えば、ＤＶＤプレーヤ１００の起動時、あるいは、ＤＶＤプレーヤ１００にテレビ２００が接続されたことをＤＶＤプレーヤ１００が検知したときに行なわれるものとする。
【００６８】
リモコン２９２からリモコン受光部２９０にコマンドが送信されると、ステップＳ１０３において、テレビ２００のマイコン２１０は、リモコン受光部２９０を介してコマンドを受信する。
【００６９】
テレビ２００とＤＶＤプレーヤ１００とはＨＤＭＩ接続されているので、コマンドには、テレビ２００の動作を指示するもののみだけではなく、ＤＶＤプレーヤ１００の動作を指示するものも含まれる。ここでは、テレビ２００が受信したコマンドは、ＤＶＤプレーヤ１００にＤＶＤ１８２の再生を指示するものであるとする。
【００７０】
ステップＳ１０５において、マイコン２１０は、ＤＶＤプレーヤ１００に、ステップＳ１０３において受信したコマンドに対応するコマンドを送信する。より具体的には、マイコン２１０は、ＣＥＣ回路２５０にＤＶＤプレーヤ１００へのコマンドを送信させる。
【００７１】
ステップＳ１０７において、ＤＶＤプレーヤ１００側のマイコン１１０は、ステップＳ１０５で送信されたコマンドを受信する。具体的には、マイコン１１０は、ＣＥＣ回路１５０がテレビ２００から受信したコマンドを取得する。
【００７２】
ステップＳ１０９において、マイコン１１０は、ステップＳ１０１においてＲＡＭ１２０に格納されたＥＤＩＤを読出し、ＥＤＩＤに基づいて、ディスプレイ２０の設定に応じたデータの送信態様を決定する。そして、マイコン１１０は、トランスミッタ１４０に、決定した送信態様でデータをテレビ２００へ送信させる。例えば、マイコン１１０は、ディスプレイ２０の解像度に応じて、ＤＶＤドライブ１８０がＤＶＤ１８２から読み取った画像データを変換し、トランスミッタ１４０に、変換された画像データをテレビ２００に送信させる。どのように変換すべきかを表わす変換式などを含むプログラムは、予め、ＲＡＭ１２０に格納されており、マイコン１１０は、そのプログラムに基づいて、画像データを変換するものとする。なお、変換テーブルが与えられており、変換テーブルを参照して、画像データを変換するという構成であっても構わない。
【００７３】
ＤＶＤプレーヤ１００は、テレビ２００から読み出したＥＤＩＤに基づいて、テレビ２００の特性に合わせてテレビ２００にデータを送信する。したがって、本映像音声システム１によれば、テレビ２００に、テレビ２００の特性に応じた適切な動作を実現させることができる。例えば、テレビ２００の画質を向上することができる。
【００７４】
（第１の動作例の変形例）
上に説明した第１の動作例の変形例について説明する。この変形例は、ステップＳ１０１の処理（ＥＤＩＤの取得）を変更したものである。
【００７５】
変形例におけるＥＤＩＤ取得のための処理の流れについて図８を参照して説明する。図８は、第１の動作例の変形例において、マイコン１１０がＥＤＩＤ取得のために行なう処理の流れを示すフローチャートである。
【００７６】
ステップＳ２０１において、マイコン１１０は、テレビ２００からのＥＤＩＤの読出しを、ＤＤＣ回路１６０に指示する。
【００７７】
ステップＳ２０３において、マイコン１１０は、ＤＤＣ回路１６０が、Ｖｅｎｄｏｒ  ＩＤおよびＰｒｏｄｕｃｔ  ＩＤを読み出したかを判断する。マイコン１１０は、ステップＳ２０１の読み出し処理の開始から所定の時間が経過した時に、この処理を行なうものとする。
【００７８】
Ｖｅｎｄｏｒ  ＩＤおよびＰｒｏｄｕｃｔ  ＩＤが読み出された場合（ステップＳ２０３においてＹｅｓ）、マイコン１１０は、ステップＳ２０５において、ＤＤＣ回路１６０に、ＥＤＩＤの読出しを中断させる。
【００７９】
ステップＳ２０５に続いて、マイコン１１０は、ステップＳ２０７において、ＤＶＤプレーヤ１００内部に格納されている機器ＤＢ３４６を読出し、機器ＤＢ３４６に含まれているＶｅｎｄｏｒ  ＩＤおよびＰｒｏｄｕｃｔ  ＩＤと、ステップＳ２０３において読み出されたＶｅｎｄｏｒ  ＩＤおよびＰｒｏｄｕｃｔ  ＩＤが一致するかどうか判断する。
【００８０】
読み出されたＩＤと、機器ＤＢ３４６に含まれるＩＤとが一致する場合（ステップＳ２０７においてＹｅｓ）、マイコン１１０は、ステップＳ２０９において、読み出されたＩＤと一致するＩＤをもつＥＤＩＤを機器ＤＢ３４６から読み出す。そして、ＥＤＩＤ取得のための処理を終了する。
【００８１】
一致するかどうかは機器ＤＢ３４６の内容による。例えば、メーカーは、ＤＶＤプレーヤ１００の出荷時に、そのメーカーの他の機器（テレビなど）の機器情報を機器ＤＢ３４６に登録しておくことで、同メーカーの製品からなり、装置間の連携性がよい映像音声システムを提供することができる。
【００８２】
読み出されたＩＤと、機器ＤＢ３４６に含まれるＩＤとが一致しない場合（ステップＳ２０７においてＮｏ）、マイコン１１０は、ステップＳ２０１からの処理に戻る。
【００８３】
一方、Ｖｅｎｄｏｒ  ＩＤおよびＰｒｏｄｕｃｔ  ＩＤが読み出されていない場合（ステップＳ２０３においてＮｏ）、マイコン１１０は、ステップＳ２１１において、テレビ２００が格納するＥＤＩＤを全て読み出したかを判断する。
【００８４】
ＥＤＩＤのうち読み出していない部分がある場合（ステップＳ２１１においてＮｏ）、マイコン１１０は、ステップＳ２０１からの処理に戻る。
【００８５】
ＥＤＩＤをすべて読み出した場合（ステップＳ２１１においてＹｅｓ）、マイコン１１０は、ＥＤＩＤの取得のための処理を終了する。
【００８６】
以上のようにすることにより、ＥＤＩＤの取得時間の平均を短縮することができる。なお、ステップＳ２０３でＶｅｎｄｏｒ  ＩＤと、Ｐｒｏｄｕｃｔ  ＩＤとの両方を読み出したかどうかを判断し、ステップＳ２０７でこれらを機器ＤＢ２０７と比較する構成を示したが、いずれか一方のみを利用して機器の規格が特定できるのであれば、いずれか一方のみを読み出した時点で、以降のＥＤＩＤの読出しを中断してもよい。
【００８７】
（第２の動作例）
ここからは第２の動作例について説明する。第１の動作例は、ＤＶＤプレーヤ１００が、ＥＤＩＤを用いて、テレビ２００に、ディスプレイ２０の特性に応じたデータを送るものであった。第２の動作例では、ＤＶＤプレーヤ１００は、ＥＤＩＤに加えて、機器の固有データを利用して、テレビ２００へのデータの送信態様を決定する。
【００８８】
図９は、第２の動作例に係る映像音声システム１の処理の流れを示すフローチャートである。以下、図９を参照して、第２の動作例における処理の流れについて説明する。
【００８９】
ステップＳ３０１において、ＤＶＤプレーヤ１００のマイコン１１０は、テレビ２００からＥＤＩＤを取得する。また、取得したＥＤＩＤをＲＡＭ１２０に格納する。
【００９０】
より具体的には、マイコン１１０は、ＤＤＣ回路１６０に、ＥＤＩＤ取得のための信号を送る。信号を受けたＤＤＣ回路１６０は、ＤＶＤプレーヤ１００側のＨＤＭＩ端子１７０、ＨＤＭＩケーブル１０、テレビ２００側のＨＤＭＩ端子２７０、テレビ２００側のＤＤＣ回路２６０を介して、テレビ２００側のＰＲＯＭ２８０に格納されているＥＤＩＤを取得する。
【００９１】
ステップＳ３０１の処理は、例えば、ＤＶＤプレーヤ１００の起動時、あるいは、ＤＶＤプレーヤ１００にテレビ２００が接続されたことをＤＶＤプレーヤ１００が検知したときに行なわれるものとする。
【００９２】
ステップＳ３０３において、マイコン１１０は、テレビ２００にテレビ２００の固有データを問い合わせる。具体的には、マイコン１１０は、ＣＥＣ回路１５０に信号を送り、ＣＥＣ回路１５０に、テレビ２００に対して固有データを問い合わせる信号を送信させる。
【００９３】
ステップＳ３０５において、テレビ２００側のマイコン２１０は、固有データの問合せを受信する。具体的には、マイコン２１０は、ＣＥＣ回路２５０がＤＶＤプレーヤ１００から受信した問い合わせを取得する。
【００９４】
ステップＳ３０７において、マイコン２１０は、固有データをＲＯＭ２３０から読出し、読み出した固有データをＤＶＤプレーヤ１００に送信する。具体的には、マイコン２１０は、ＣＥＣ回路２５０に、読み出した固有データをＤＶＤプレーヤ１００へ送信させる。
【００９５】
ステップＳ３０９において、ＤＶＤプレーヤ１００側のマイコン１１０は、ステップＳ３０７で送信された固有データを受信する。具体的には、マイコン１１０は、ＣＥＣ回路１５０がテレビ２００から受信した固有データを取得する。
【００９６】
リモコン２９２からリモコン受光部２９０にコマンドが送信されると、ステップＳ３１１において、テレビ２００のマイコン２１０は、リモコン受光部２９０を介してコマンドを受信する。コマンドには、テレビ２００の動作を指示するもののみだけではなく、ＤＶＤプレーヤ１００の動作を指示するものも含まれる。ここでは、テレビ２００が受信したコマンドは、ＤＶＤプレーヤ１００にＤＶＤ１８２の再生を指示するものであるとする。
【００９７】
ステップＳ３１３において、マイコン２１０は、ＤＶＤプレーヤ１００に、ステップＳ３１１において受信したコマンドに対応するコマンドを送信する。より具体的には、マイコン２１０は、ＣＥＣ回路２５０にＤＶＤプレーヤ１００へのコマンドを送信させる。
【００９８】
ステップＳ３１５において、ＤＶＤプレーヤ１００側のマイコン１１０は、ステップＳ３１３で送信されたコマンドを受信する。具体的には、マイコン１１０は、ＣＥＣ回路１５０がＤＶＤプレーヤ１００から受信したコマンドを取得する。
【００９９】
ステップＳ３１７において、マイコン１１０は、ＲＡＭ１２０からＥＤＩＤを読出し、読み出したＥＤＩＤに基づいて、ディスプレイ２０の設定に応じたデータの送信態様を決定する。そして、マイコン１１０は、トランスミッタ１４０に、決定した送信態様でデータをテレビ２００へ送信させる。例えば、マイコン１１０は、ディスプレイ２０の解像度に応じて、ＤＶＤドライブ１８０がＤＶＤ１８２から読み取った画像データを変換し、トランスミッタ１４０に、変換された画像データをテレビ２００に送信させる。
【０１００】
ＤＶＤプレーヤ１００は、テレビ２００から読み出したＥＤＩＤおよび固有データに基づいて、テレビ２００の特性に合わせてテレビ２００にデータを送信する。したがって、本映像音声システム１によれば、テレビ２００に、テレビ２００の特性によりきめ細かく対応した動作を実現させることができる。例えば、テレビ２００の画質を著しく向上することができる。
【０１０１】
なお、第１の動作例と同様の変形例をとることもできる。すなわち、マイコン１１０は、ステップＳ３０１において、図８に示した処理を行なってもよい。
【０１０２】
（第３の動作例）
これまでに説明した動作例では、ＤＶＤプレーヤ１００が、ＥＤＩＤに基づいて、ディスプレイ２０の特性に応じたデータをテレビ２００に送信するものであった。しかし、ＥＤＩＤを反映したデータ送信の態様は、これに限られるものではない。ここからは、第３の動作例として、ＥＤＩＤを利用して、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）処理を効率化する動作について説明する。
【０１０３】
ＨＤＣＰは、コンテンツが不正にコピーされるのを防止する著作権保護技術の一つである。ＨＤＣＰでは、コンテンツを送出する側（本実施の形態では、ＤＶＤプレーヤ１００）は、コンテンツの送出の際に、受信側（本実施の形態では、テレビ２００）を認証し、公開鍵暗号によってコンテンツを暗号化する。コンテンツの暗号に使う鍵は、送出側と受信側とで共有される。コンテンツを暗号化することにより、コンテンツが伝送中に盗聴されたり改ざんされたりするのが防止される。また、保護されたコンテンツは、送出側と受信側の双方がＨＤＣＰに対応していないと表示されない。データを抜き取るために偽の受信機器を使おうとしても、認証によって、偽の受信機器へのコンテンツの送信は拒絶される。
【０１０４】
さて、コンテンツの暗号化に用いる鍵は、受信側で計算することにより作成される。この計算時間は、受信側の演算速度などによって変動する。そこで、本実施の形態では、ＤＶＤプレーヤ１００は、鍵作成にかかる時間（キー計算時間とよぶ）を考慮してＨＤＣＰ処理を行なう。
【０１０５】
図１０は、第３の動作例に係る映像音声システム１の処理の流れを示すフローチャートである。以下、図１０を参照して、第３の動作例における処理について説明する。
【０１０６】
ステップＳ４０１からステップＳ４０９の処理は、それぞれ、第２の動作例で説明した、ステップＳ３０１からステップＳ３０９の処理と同様である。
【０１０７】
ステップＳ４１１において、ＤＶＤプレーヤ１００のマイコン１１０は、テレビ２００に、鍵を作成する命令を送信する。
【０１０８】
ステップＳ４１３において、テレビ２００のマイコン２１０は、ステップＳ４０７において送信された命令に基づいて、鍵を作成する。
【０１０９】
ステップＳ４１５において、マイコン１１０は、キー計算時間を考慮した鍵の読出しを行なう。すなわち、マイコン１１０は、ステップＳ４０９で受信した固有データに基づいて、テレビ２００によるキー計算時間を推定し、ステップＳ４１１における命令の送信から、推定されたキー計算時間が経過した後に、テレビ２００から鍵を読み出す。
【０１１０】
この方法によれば、例えば、所定の時間間隔でＤＶＤプレーヤ１００がテレビ２００から鍵を読み出す処理を行なう構成に比べ、読出し回数を削減することができる。また、キー計算時間の推定結果に基づいて鍵を読み出すので、ＨＤＣＰ処理にかかる時間を短縮することもできる。
【０１１１】
なお、第１の動作例と同様に、ＥＤＩＤ取得の方法について変形例をとりうるのは勿論である。
【０１１２】
（第４の動作例）
以上の動作例では、ＤＶＤプレーヤ１００が、テレビ２００からＥＤＩＤ、固有データといった機器情報を取得し、取得した機器情報に基づいて、テレビ２００の特性に応じた態様で、コンテンツや信号をテレビ２００に送信する構成について説明してきた。しかしながら、テレビ２００とＤＶＤプレーヤ１００の役割を交代することもできる。第４の動作例では、テレビ２００が、ＤＶＤプレーヤ１００の特性を考慮して、ＤＶＤプレーヤ１００にコマンドを送信する構成について説明する。
【０１１３】
図１１は、第４の動作例に係る映像音声システム１の処理の流れを示すフローチャートである。以下、図１１を参照して、第４の動作例における処理の流れについて説明する。
【０１１４】
ステップＳ５０１において、テレビ２００のマイコン２１０は、ＤＶＤプレーヤ１００に、その設定を問い合わせる。具体的には、マイコン２１０は、ＣＥＣ回路２５０に信号を送り、ＣＥＣ回路２５０に、ＤＶＤプレーヤ１００に対してプレーヤ設定３４８を問い合わせる信号を送信させる。
【０１１５】
ステップＳ５０３において、ＤＶＤプレーヤ１００側のマイコン１１０は、プレーヤ設定３４８の問合せを受信する。具体的には、マイコン１１０は、ＣＥＣ回路１５０がテレビ２００から受信した問い合わせを取得する。
【０１１６】
ステップＳ５０５において、マイコン１１０は、プレーヤ設定３４８を読出し、読み出したプレーヤ設定３４８をテレビ２００に送信する。具体的には、マイコン１１０は、ＣＥＣ回路１５０に、読み出したプレーヤ設定３４８をテレビ２００へ送信させる。
【０１１７】
ステップＳ５０７において、テレビ２００側のマイコン２１０は、ステップＳ５０５で送信されたプレーヤ設定３４８を受信する。具体的には、マイコン２１０は、ＣＥＣ回路２５０がＤＶＤプレーヤ１００から受信したプレーヤ設定３４８を取得する。
【０１１８】
リモコン２９２からリモコン受光部２９０にコマンドが送信されると、ステップＳ５０９において、テレビ２００のマイコン２１０は、リモコン受光部２９０を介してコマンドを受信する。ここでは、テレビ２００が受信したコマンドは、ＤＶＤプレーヤ１００にＤＶＤ１８２の再生を指示するものであるとする。
【０１１９】
ステップＳ５１１において、マイコン２１０は、ステップＳ３１１において受信したコマンドおよびプレーヤ設定３４８に基づいて、ＤＶＤプレーヤ１００の設定に合わせたコマンドの送信態様を決定する。例えば、ＤＶＤプレーヤ１００の性能に応じて、コマンドの送信間隔を設定する。あるいは、コマンド自体をＤＶＤプレーヤ１００の設定に応じて決定してもよい。そして、マイコン２１０は、ＤＶＤプレーヤ１００に、決定された送信態様でコマンドを送信する。具体的には、マイコン２１０は、ＣＥＣ回路２５０にＤＶＤプレーヤ１００へのコマンドを送信させる。
【０１２０】
ステップＳ５１３において、ＤＶＤプレーヤ１００側のマイコン１１０は、ステップＳ５１１で送信されたコマンドを受信する。具体的には、マイコン１１０は、ＣＥＣ回路１５０がＤＶＤプレーヤ１００から受信したコマンドを取得する。
【０１２１】
テレビ２００は、ＤＶＤプレーヤ１００から読み出したプレーヤ設定３４８に基づいて、ＤＶＤプレーヤ１００の特性に合わせてＤＶＤプレーヤ１００にコマンドを送信する。したがって、本映像音声システム１によれば、ＤＶＤプレーヤ１００に、その特性に対応した動作を実現させることができる。
【０１２２】
［４．その他］
ＥＤＩＤ３４２と同様にスピーカ２４の特性を記述したデータを、テレビ２００内に格納しておいてもよい。例えば、ＰＲＯＭ２８０は、Ｖｅｎｄｏｒ  ＩＤおよび／またはＰｒｏｄｕｃｔ  ＩＤ、ならびに、規格で定められているスピーカ２４の音響特性を含むデータを格納していてもよい。上述の説明におけるＥＤＩＤ３４２にこのデータを用いる構成も可能である。また、ＥＤＩＤ３４２とこのデータとを組み合わせて、音質と画質の双方の向上を図ってもよい。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２４】
【図１】本実施の形態に係る映像音声システム１の模式図である。
【図２】ＤＶＤプレーヤ１００のハードウェア構成を示すブロック図である。
【図３】ＤＶＤプレーヤ１００の機能的構成を示すブロック図である。
【図４】テレビ２００のハードウェア構成を示すブロック図である。
【図５】テレビ２００の機能的構成を示すブロック図である。
【図６】ＥＤＩＤ３４２および固有データ３４４について説明するための図である。
【図７】第１の動作例に係る映像音声システム１の処理の流れを示すフローチャートである。
【図８】第１の動作例の変形例において、マイコン１１０がＥＤＩＤ取得のために行なう処理の流れを示すフローチャートである。
【図９】第２の動作例に係る映像音声システム１の処理の流れを示すフローチャートである。
【図１０】第３の動作例に係る映像音声システム１の処理の流れを示すフローチャートである。
【図１１】第４の動作例に係る映像音声システム１の処理の流れを示すフローチャートである。
【符号の説明】
【０１２５】
１  映像音声システム、１０  ＨＤＭＩケーブル、２０  ディスプレイ、２２  トランスミッタ、２４  スピーカ、２６  アンプ、１００  ＤＶＤプレーヤ、１１０  マイコン、１２５  ハードディスク、１４０  トランスミッタ、１５０  ＣＥＣ回路、１６０  ＤＤＣ回路、１７０  ＨＤＭＩ端子、１８０  ＤＶＤドライブ、１９０  リモコン受光部、１９２  リモコン、２００  テレビ、２１０  マイコン、２４０  レシーバ、２５０  ＣＥＣ回路、２６０  ＤＤＣ回路、２７０  ＨＤＭＩ端子、２９０  リモコン受光部、２９２  リモコン、３１０  制御部、３２０  読取部、３３０  入力部、３４０  記憶部、３４１  テレビ情報、３４２  ＥＤＩＤ、３４４  固有データ、３４６  機器ＤＢ、３４８  プレーヤ設定、３５０  通信部、３５２  取得部、３５４  送信部、４１０  制御部、４２０  出力部、４２０ａ  音声出力部、４２０ｂ  映像出力部、４２２  出力制御部、４２２ａ  音声出力制御部、４２２ｂ  映像出力制御部、４３０  入力部、４４０  記憶部、４４２  固有データ、４５０  通信部、４５２  読出部、４５４  受信部、４６０  格納部。
【図１】
0004775400.tif 000002
【図２】
0004775400.tif 000003
【図３】
0004775400.tif 000004
【図４】
0004775400.tif 000005
【図５】
0004775400.tif 000006
【図６】
0004775400.tif 000007
【図７】
0004775400.tif 000008
【図８】
0004775400.tif 000009
【図９】
0004775400.tif 000010
【図１０】
0004775400.tif 000011
【図１１】
0004775400.tif 000012